(57)【要約】【課題】時分割タイプであって輝度を向上させても、小型化されたバックライトユニット及び電気光学装置を提供すること。【解決手段】導光板と、前記導光板に向けて光を出射する複数の光源と、を有し、前記導光板が第１の導光領域と第２の導光領域とに分割されており、前記光源が前記第１の導光領域及び前記第２の導光領域の前記導光板の端面にそれぞれ対応して設けられ、前記第１の導光領域に対応して設けられた前記光源及び前記第２の導光領域に対応して設けられた前記光源の駆動及び非駆動の状態を制御して、照明光を照射するバックライトユニットであって、前記第２の導光領域は、前記第１の導光領域に対して、前記第１の導光領域に対応して設けられた前記光源が光を出射する方向に配置されており、前記第１の導光領域と前記第２の導光領域との間に、前記第１の導光領域から前記第２の導光領域への光の入射を防止する光入射防止手段が設けられている。【選択図】図１
2012169279.tif 000002
【特許請求の範囲】
【請求項１】
導光板と、前記導光板に向けて光を出射する複数の光源と、を有し、前記導光板が第１の導光領域と第２の導光領域とに分割されており、前記光源が前記第１の導光領域及び前記第２の導光領域の前記導光板の端面にそれぞれ対応して設けられ、前記第１の導光領域に対応して設けられた前記光源及び前記第２の導光領域に対応して設けられた前記光源の駆動及び非駆動の状態を制御して、照明光を照射するバックライトユニットであって、
前記第２の導光領域は、前記第１の導光領域に対して、前記第１の導光領域に対応して設けられた前記光源が光を出射する方向に配置されており、
前記第１の導光領域と前記第２の導光領域との間に、前記第１の導光領域から前記第２の導光領域への光の入射を防止する光入射防止手段が設けられている
ことを特徴とするバックライトユニット。
【請求項２】
前記光入射防止手段は、反射膜である
ことを特徴とするバックライトユニット。
【請求項３】
分割された複数の前記導光領域は、それぞれ前記光入射防止手段を介して接着されている
ことを特徴とする請求項１又は請求項２に記載のバックライトユニット。
【請求項４】
請求項１から３のいずれか１項に記載のバックライトユニットと、該バックライトユニットからの照射光が照射される電気光学パネルと、
を備えたことを特徴とする電気光学装置。
【発明の詳細な説明】
【技術分野】
【０００１】
本発明は、バックライトユニット及び電気光学装置に関する。
【背景技術】
【０００２】
液晶装置においてカラー表示を行う場合、以下の２つのタイプがある。一つは、カラーフィルタを備える液晶パネルを用い、Ｒ（赤）、Ｇ（緑）、Ｂ（青）の３つのサブ画素で１つの画素を構成する空間分割タイプのものである。他の一つは、光源からＲ、Ｇ、Ｂ各色光を時間的に分離し、液晶パネルで光の色に応じた駆動（色順次表示）を行う時間分割タイプのものである。
【０００３】
ここで、空間分割タイプの液晶装置では、モノクロ表示を行う場合と比較して同一の解像度を有する画像を表示するために３倍の空間解像度を必要とする。これに対して、時間分割タイプの液晶装置では、モノクロ表示を行う場合と同一の解像度でよいため、画像の高精細化が容易である。
【０００４】
しかし、時間分割タイプの液晶装置においても、画素数が大きくなるほど全画素への画像信号の書き込み時間が長くなるため、輝度が低下するという問題がある。すなわち、時間分割タイプの液晶装置では、全画素に赤の画像信号を書き込んだ後に赤色の照明光を照射し、全画素に緑の画像信号を書き込んだ後に緑色の照明光を照射し、全画素に青の画像信号を書き込んだ後に青色の照明光を照射する。そのため、例えば６０Ｈｚで駆動させた場合において、信号書き込みから照明光の照射を各色あたり５．５ｍｓｅｃ程度で行う必要がある。したがって、ＳＶＧＡ（Super VGA：８００×６００画素）の場合、全画素に画像信号を書き込むために必要な時間が５．２５ｍｓｅｃ程度であることから、照明光の照射時間が０．２５ｍｓｅｃ程度となり、画像の輝度が低下する。
【０００５】
ここで、光源から直接照明光を照射する液晶装置において、画像表示領域を複数の分割領域に分割し、複数の分割領域それぞれに対応してＲＧＢ３色の照明光を照射可能な複数の光源を設けたものが提案されている（例えば、特許文献１参照）。この液晶装置では、１の分割領域に画像信号を供給した後、対応する光源から照明光を照射することで、光源点灯のデューティ比を高めて画像の輝度の向上を図っている。
【特許文献１】特開平５−８０７１６号公報
【発明の開示】
【発明が解決しようとする課題】
【０００６】
しかしながら、上記従来の液晶装置においても、以下の課題が残されている。すなわち、例えば携帯電話機におけるディスプレイのように液晶パネルを小型化した場合、各画素それぞれに対応して例えばＬＥＤ素子などの光源を配置すると、照明手段が大型化してしまうという問題がある。
【０００７】
本発明は、上記従来の問題に鑑みてなされたもので、時分割タイプであって輝度を向上させても、小型化されたバックライトユニット及び電気光学装置を提供することを目的とする。
【課題を解決するための手段】
【０００８】
本発明は、前記課題を解決するために以下の構成を採用した。すなわち、本発明にかかるバックライトユニットは、導光板と、前記導光板に向けて光を出射する複数の光源と、を有し、前記導光板が第１の導光領域と第２の導光領域とに分割されており、前記光源が前記第１の導光領域及び前記第２の導光領域の前記導光板の端面にそれぞれ対応して設けられ、前記第１の導光領域に対応して設けられた前記光源及び前記第２の導光領域に対応して設けられた前記光源の駆動及び非駆動の状態を制御して、照明光を照射するバックライトユニットであって、前記第２の導光領域は、前記第１の導光領域に対して、前記第１の導光領域に対応して設けられた前記光源が光を出射する方向に配置されており、前記第１の導光領域と前記第２の導光領域との間に、前記第１の導光領域から前記第２の導光領域への光の入射を防止する光入射防止手段が設けられていることを特徴とする。  
また、上記のバックライトユニットは、前記光入射防止手段は、反射膜であることが好ましい。  
また、上記のバックライトユニットは、分割された複数の前記導光領域は、それぞれ前記光入射防止手段を介して接着されていることが好ましい。  
本発明に係る電気光学装置は、上記のバックライトユニットと、該バックライトユニットからの照射光が照射される電気光学パネルと、を備えたことを特徴とする。
【０００９】
本発明は、前記課題を解決するために以下の構成を採用した。すなわち、本発明にかかる電気光学装置は、供給される画像信号に応じて画像表示領域に画像を表示する電気光学パネルと、前記電気光学パネルに向けて複数色の照明光を照射可能な照明手段と、前記電気光学パネルへの前記画像信号の供給及び前記光源の駆動それぞれを制御する制御手段とを備え、前記画像表示領域が、複数の画像分割領域に分割され、前記照明手段が、前記複数の画像分割領域それぞれに対応する複数の導光分割領域に分割されると共に隣接する２つ該導光分割領域の境界部に遮光膜が設けられた導光板と、前記複数の導光分割領域それぞれに向けて前記照明光を射出する複数の光源とを有し、前記制御手段が、前記複数の画像分割領域それぞれに順次前記画像信号を供給し、該画像信号が供給中である前記画像分割領域に対応する前記導光分割領域に設けられた前記光源を非駆動とすると共に、他の前記光源を駆動させることを特徴とする。  
この発明では、導光板を複数の導光分割領域に分割し、それぞれに対応して光源を設けることで、光源から直接複数の画像分割領域それぞれに照明光を照射することと比較し、照明手段の薄型化が可能となる。
【００１０】
すなわち、光源の照射可能範囲が狭くても、導光板を介して広い範囲に光源からの射出光を照射することができる。これにより、１つの画像分割領域に対して全域を照射するために光源を多数配置する必要がなくなるため、１つの画像分割領域に対する光源の設置数を少なくすることができる。したがって、照明手段を薄型化できる。
【００１１】
ここで、導光分割領域の境界部に遮光膜が設けられているため、一の導光分割領域中を導光する光がこれと隣接する他の導光分割領域中に入射することを防止できる。
【００１２】
また、本発明における電気光学装置は、前記遮光膜が、前記照明光を反射する反射膜であることが好ましい。
【００１３】
この発明では、導光分割領域の境界部に反射膜を設けることで、境界部に向かう光を反射させて照明光として有効に利用することができる。
【００１４】
また、本発明における電気光学装置は、前記制御手段が、前記画像表示領域の一方向に沿って列ごとに順次前記画像信号の供給を行い、前記複数の画像分割領域が、前記一方向に沿って配列されていることが好ましい。
【００１５】
この発明では、列ごとに画像信号が書き込まれる一方向に沿って画像分割領域を配置することで、複数の画像分割領域それぞれに対して順次画像信号を書き込む際において各画素領域への画像信号の書き込みの制御が容易になる。
【００１６】
また、本発明における電気光学装置は、前記複数の光源それぞれが、前記複数色の光それぞれを発光する複数の発光部材を備えることとしてもよい。
【００１７】
この発明では、各発光部材から照射した各色の光を導光分割領域から画像分割領域に向けて照射する。
【００１８】
また、本発明における電子機器は、上記記載の電気光学装置を備えることを特徴とする。
【００１９】
この発明では、上述と同様に、照明手段が薄型化されるため、機器全体の小型化が図れる。
【図面の簡単な説明】
【００２０】
【図１】本発明の液晶装置を示す概略断面図である。
【図２】画像表示領域の構成を示す平面図である。
【図３】照明手段を示す平面図である。
【図４】画像信号の供給及び各光源の駆動を示すタイミングチャートである。
【図５】図４の各状態における各画像分割領域の表示状態を示す説明図である。
【図６】液晶装置を備える携帯電話機を示す斜視図である。
【発明を実施するための形態】
【００２１】
以下、本発明における光学素子の一実施形態を、図面を用いて説明する。なお、以下の説明に用いる各図面では、各部材を認識可能な大きさとするために縮尺を適宜変更している。ここで、図１は液晶装置を示す概略断面図、図２は画像表示領域を示す平面図、図３は照明手段を示す平面図である。
【００２２】
〔液晶装置〕
本実施形態における液晶装置（電気光学装置）１は、透過型のカラー液晶装置である。
ここで、表示を構成する最小単位となる表示領域を「サブ画素領域」と称する。
液晶装置１は、図１に示すように、液晶パネル２と、液晶パネル２に照明光を照射するバックライトユニット（照明手段）３と、制御手段４とを備えている。
液晶パネル２は、素子基板１１と、素子基板１１と対向配置された対向基板１２と、素子基板１１及び対向基板１２の間に配置された液晶層１３とを備えている。
そして、液晶パネル２は、素子基板１１と対向基板１２とをシール材１４で貼り合わせており、このシール材１４によって液晶層１３が素子基板１１と対向基板１２との間で封止されている。ここで、液晶パネル２においてシール材１４で囲まれた領域が、図２に示す画像表示領域１５となっている。
【００２３】
また、液晶パネル２の画像表示領域１５には、複数の画素領域１６が配置されている。
複数の画素領域１６は、水平走査方向Ｈ及び垂直走査方向（一方向）Ｖそれぞれに沿って配列しており、全体としてマトリックス状に配置されている。
そして、画像表示領域１５は、２つの画像分割領域１５Ａ、１５Ｂに分割されている。
２つの画像分割領域１５Ａ、１５Ｂは、画像表示領域１５における垂直走査方向Ｖに沿って配列されている。すなわち、画像表示領域１５は、垂直走査方向Ｖに沿う上側の画像分割領域１５Ａと、下側の画像分割領域１５Ｂとを有している。
【００２４】
素子基板１１は、図１に示すように、平面視でほぼ矩形状であってガラス基板を基体としており、このガラス基板上に種々の金属膜や絶縁膜、半導体層、不純物層などが形成されている。そして、素子基板１１には、フォトリソグラフィ技術やインクジェット法などの所定の手法を用いてガラス基板上に形成された画素電極、薄膜トランジスタ（ＴＦＴ：Thin Film Transistor）及び蓄積コンデンサなどを含む画素部分と、画素に電気信号などを供給する配線部分とを備えている。さらに、素子基板１１の内側の面（液晶層１３側の面）には、液晶層１３を構成する液晶分子の配向を制御する配向膜が形成されている。
また、素子基板１１の外面（液晶層１３から離間する側の）側には、偏光板１７が配置されている。
【００２５】
対向基板１２は、素子基板１１と同様に、平面視でほぼ矩形状であってガラス基板を基体としており、このガラス基板上にブラックマトリックスやカラーフィルタ層、保護膜及び電極などが形成されている。また、対向基板１２の内側の面には、配向膜が形成されている。この配向膜は、液晶分子の配向方向が素子基板１１に形成された配向膜による配向方向と直交するように形成されている。
また、対向基板１２の外面側にも、素子基板１１と同様に偏光板１８が配置されている。
【００２６】
バックライトユニット３は、素子基板１１の外面側に配置されている。そして、バックライトユニット３は、図１及び図３に示すように、導光板２１と、導光板２１に向けて照明光を射出する光源２２、２３と、照明光を導光板２１に向けて反射する反射板２４とを備えている。
導光板２１は、図３に示すように、画像分割領域１５Ａ、１５Ｂと同数の２つの導光分割領域２１Ａ、２１Ｂに分割されている。２つの導光分割領域２１Ａ、２１Ｂは、画像分割領域１５Ａ、１５Ｂと同様に、画像表示領域１５の垂直走査方向Ｖに沿って配列されている。
すなわち、導光板２１は、垂直走査方向Ｖに沿う上側の導光分割領域２１Ａと、下側の導光分割領域２１Ｂとを有している。導光分割領域２１Ａ、２１Ｂそれぞれは、平面視でほぼ矩形状となっている。また、導光板２１は、導光分割領域２１Ａ、２１Ｂの境界部分に設けられた反射膜（遮光膜）２５を有している。なお、導光板２１は、分割された２つの導光分割領域２１Ａ、２１Ｂそれぞれを反射膜２５を介して接着させることにより形成されている。
【００２７】
光源２２は、導光分割領域２１Ａに対応して設けられている。そして、光源２２は、導光分割領域２１Ａの長軸方向に沿う端辺の中央部に設けられている。このように導光分割領域２１Ａの長軸方向に沿う端辺の中央部に光源２２を配置することで、光源２２から射出した光を短時間で導光分割領域２１Ａの全域に導光することができる。
また、光源２３は、導光分割領域２１Ｂに対応して設けられている。そして、光源２３は、上述と同様に、導光分割領域２１Ｂの長軸方向に沿う端面の中央部に設けられている。このように導光分割領域２１Ｂの長軸方向に沿う端辺の中央部に光源２３を配置することで、上述と同様に、光源２３から射出した光を短時間で導光分割領域２１Ｂの全域に導光することができる。
光源２２、２３それぞれは、赤色光、緑色光及び青色光それぞれの光を発光するＬＥＤ素子（発光部材）２６Ａ〜２６Ｃ、ＬＥＤ素子（発光部材）２７Ａ〜２７Ｃを備えている。
【００２８】
制御手段４は、液晶パネル２における画像表示領域１５への画像信号及び走査信号の供給、光源２２、２３の駆動の制御を行う構成となっている。制御手段４は、水平走査方向Ｈに沿って配置された複数列の画素領域１６のうち垂直走査方向Ｖにおける上端の一列の画素領域１６に対して、一列の画素領域１６のうち左端に配置された画素領域１６から右端に配置された画素領域１６に向けて順次画像信号を供給する構成となっている。
そして、制御手段４は、当該一列の画素領域１６すべてに画像信号を供給した後、垂直走査方向Ｖにおいて隣接する他の一列の画素領域１６から順に垂直走査方向Ｖに沿って列ごとに上述と同様に画像信号を供給する構成となっている。
さらに、制御手段４は、画像信号の供給に併せてＬＥＤ素子２６Ａ〜２６Ｃ、２７Ａ〜２７Ｃそれぞれに対して駆動及び非駆動を制御する構成となっている。なお、制御手段４による画像信号の供給及び光源２２、２３の駆動それぞれの制御の詳細については、後述する。
【００２９】
〔液晶装置の駆動方法〕
次に、上述した構成の液晶装置１の駆動方法について、図４及び図５を参照しながら説明する。ここで、図４は画像信号の供給及び各光源２２、２３の駆動を示すタイミングチャート、図５は図４の各期間における各画像分割領域の表示状態を示す説明図である。
まず、制御手段４は、画像表示領域１５のうち上側の画像分割領域１５Ａにおける各画素領域１６に対して赤の画像情報を書き込む（図４に示す期間Ａ及び図５（ａ））。
すなわち、制御手段４は、まず画像表示領域１５の垂直走査方向Ｖの上端で水平走査方向Ｈに沿って配列された一列の画素領域１６に対して、水平走査方向Ｈの左端に配置された画素領域１６から右端に配置された画素領域１６に向けて水平走査方向Ｈに沿って順に赤の画像信号を供給する。画像信号が供給された画素領域１６は、一対の電極間で供給された画像信号に応じた強度の電界を発生させ、当該画素領域１６における液晶層１３の配向方向を変化させる。
そして、制御手段４は、垂直走査方向Ｖの上端における一列の画素領域１６すべてに赤の画像信号を供給した後、この一列の画素領域１６と垂直走査方向Ｖに沿って隣接する他の一列の画素領域１６それぞれに赤の画像信号を供給する。
このようにして、制御手段４は、垂直走査方向Ｖに沿って配列された複数列の画素領域１６それぞれに対して赤の画像信号を供給していく。これにより、画像表示領域１５のうち上側の画像分割領域１５Ａにおけるすべての画素領域１６に赤の画像信号を供給する。
【００３０】
次に、制御手段４は、光源２２におけるＬＥＤ素子２６Ａを駆動し、上側の画像分割領域１５Ａに対して赤色光の照明光を照射する。また、制御手段４は、上述と同様に、画像表示領域１５のうち下側の画像分割領域１５Ｂにおける各画素領域１６に対して赤の画像信号を供給する（図４に示す期間Ｂ及び図５（ｂ））。
すなわち、制御手段４は、すでに赤の画像信号が供給された上側の画像分割領域１５Ａと対応して設けられている光源２２におけるＬＥＤ素子２６Ａを駆動する。そして、ＬＥＤ素子２６Ａは、導光板２１における上側の導光分割領域２１Ａに対して赤色光を射出する。赤色光は、導光分割領域２１Ａ内を導光し、上側の画像分割領域１５Ａに向けて射出する。
これにより、画像分割領域１５Ａに書き込まれた赤の画像が表示される。このとき、導光板２１において上側の導光分割領域２１Ａと下側の導光分割領域２１Ｂとの間に反射膜２５が設けられているため、上側の導光分割領域２１Ａ中を導光する赤色光が導光分割領域２１Ｂに入射することが防止される。
また、制御手段４は、画像分割領域１５Ａにおける各画素領域１６への画像信号の供給に続けて、上述と同様にして下側の画像分割領域１５Ｂにおける各画素領域１６へ赤の画像信号を供給する。
【００３１】
続いて、制御手段４は、上述と同様に、光源２３におけるＬＥＤ素子２７Ａを駆動し、下側の画像分割領域１５Ｂに対して赤色光の照明光を照射する（図４に示す期間Ｃ及び図５（ｃ））。これにより、画像分割領域１５Ｂに書き込まれた赤の画像が表示される。このとき、導光板２１に設けられた反射膜２５により、下側の導光分割領域２１Ｂ中を導光する赤色光が導光分割領域２１Ａに入射することが防止される。
そして、制御手段４は、各画素領域１６に対する緑の画像信号の供給まで、光源２２におけるＬＥＤ素子２６Ａ及び光源２３におけるＬＥＤ素子２７Ａそれぞれを駆動し、画像分割領域１５Ａ、１５Ｂそれぞれに書き込まれた赤の画像を表示させる。
【００３２】
次に、制御手段４は、光源２２におけるＬＥＤ素子２６Ａの駆動を停止し、上側の画像分割領域１５Ａにおける各画素領域１６に対して緑の画像信号を供給する。また、制御手段４は、光源２３におけるＬＥＤ素子２７Ａの駆動状態を維持する（図４に示す期間Ｄ及び図５（ｄ））。
すなわち、制御手段４は、上側の画像分割領域１５Ａにおける各画素領域１６に対して赤の画像信号を供給するため、光源２２におけるＬＥＤ素子２６Ａを非駆動とする。そして、制御手段４は、上述と同様にして、上側の画像分割領域１５Ａにおける各画素領域１６に対して緑の画像信号を供給する。
また、制御手段４は、光源２３におけるＬＥＤ素子２７Ａを駆動状態とし、下側の画像分割領域１５Ｂにおける赤の画像表示を継続する。
【００３３】
次に、制御手段４は、光源２２におけるＬＥＤ素子２６Ｂを駆動し、上側の画像分割領域１５Ａに対して緑色光の照明光を照射する。また、制御手段４は、上述と同様に、光源２３におけるＬＥＤ素子２７Ａの駆動を停止する。そして、制御手段４は、画像分割領域１５Ａにおける各画素領域１６への画像信号の供給に続けて、下側の画像分割領域１５Ｂにおける各画素領域１６に対して緑の画像信号を供給する（図４に示す期間Ｅ及び図５（ｅ））。
続いて、制御手段４は、上述と同様に、光源２３におけるＬＥＤ素子２７Ｂを駆動し、下側の画像分割領域１５Ｂに対して緑色光の照明光を照射する（図４に示す期間Ｆ及び図５（ｆ））。これにより、画像分割領域１５Ｂに書き込まれた緑の画像が表示される。そして、制御手段４は、各画素領域１６に対する青の画像信号の供給まで、画像分割領域１５Ａ、１５Ｂそれぞれに書き込まれた緑の画像を表示させる。
【００３４】
次に、制御手段４は、上述と同様に、光源２２におけるＬＥＤ素子２６Ｂの駆動を停止し、上側の画像分割領域１５Ａにおける各画素領域１６に対して青の画像信号を供給する。また、制御手段４は、光源２３におけるＬＥＤ素子２７Ｂの駆動状態を維持する（図４に示す期間Ｇ及び図５（ｇ））。
続いて、制御手段４は、光源２２におけるＬＥＤ素子２６Ｃを駆動し、上側の画像分割領域１５Ａに対して青色光の照明光を照射する。また、制御手段４は、上述と同様に、光源２３におけるＬＥＤ素子２７Ｂの駆動を停止する。そして、制御手段４は、画像分割領域１５Ａにおける各画素領域１６への画像信号の供給に続けて、下側の画像分割領域１５Ｂにおける各画素領域１６に対して青の画像信号を供給する（図４に示す期間Ｈ及び図５（ｈ））。
さらに、制御手段４は、上述と同様に、光源２３におけるＬＥＤ素子２７Ｃを駆動し、下側の画像分割領域１５Ｂに対して青色光の照明光を照射する。そして、制御手段４は、各画素領域１６に対する赤の画像信号の供給まで、画像分割領域１５Ａ、１５Ｂそれぞれに書き込まれた緑の画像を表示させる（図４に示す期間Ｉ及び図５（ｉ））。
【００３５】
次に、制御手段４は、上述と同様に、上述と同様に、光源２２におけるＬＥＤ素子２６Ｃの駆動を停止し、上側の画像分割領域１５Ａにおける各画素領域１６に対して赤の画像信号を供給する。また、制御手段４は、光源２３におけるＬＥＤ素子２７Ｃの駆動状態を維持する（図４に示す期間Ｊ及び図５（ｊ））。その後、制御手段４は、上述と同様にして、赤、緑、青の順で各色の画像を画像表示領域１５で表示させる。
すなわち、制御手段４は、画像分割領域１５Ａに一の色の画像信号を供給してから他の色の画像信号が供給されるまで、対応する光源２２を駆動させる。同様に、制御手段４は、画像分割領域１５Ｂに一の色の画像信号を供給してから他の色の画像信号が供給されるまで、対応する光源２３を駆動させる。したがって、光源２２は、画像分割領域１５Ｂへの画像信号の供給中も駆動しているため、画像表示領域１５全体に画像信号を供給してから照明光を照射することと比較して、画像分割領域１５Ａに対する照明光の照射時間を長くすることができる。なお、画像分割量いい１５Ｂに対しても同様である。
以上のようにして、液晶装置１は、図４に示す期間Ｂ〜Ｊを繰り返すと共に図５（ｂ）〜（ｊ）に示す状態を繰り返し、赤、緑、青の各色の画像を色順次方式で表示する。
【００３６】
〔電子機器〕
上述した液晶装置１は、例えば図６に示すような携帯電話機（電子機器）１００の表示部１０１として用いられる。ここで、図６は、携帯電話機を示す斜視図である。
この携帯電話機１００は、表示部１０１、複数の操作ボタン１０２、受話口１０３、送話口１０４及び上記表示部１０１を有する本体部を備えている。
【００３７】
以上のような構成の液晶装置１及び携帯電話機１００によれば、導光板２１を２つの導光分割領域２１Ａ、２１Ｂに分割してそれぞれに光源２２、２３を設けることで、バックライトユニット３を薄型とすることができる。したがって、液晶装置１の小型化が可能となる。
ここで、導光分割領域２１Ａ、２１Ｂの境界部に設けられた反射膜により、各導光分割領域２１Ａ、２１Ｂ中を導光する光が他方の導光分割領域２１Ａ、２１Ｂに入射することを防止できる。さらに、反射膜２５により各導光分割領域２１Ａ、２１Ｂ中を導光する光を有効に利用できる。
【００３８】
なお、本発明は上記実施形態に限定されるものではなく、本発明の趣旨を逸脱しない範囲において種々の変更を加えることが可能である。
例えば、画像表示領域を２つの画像分割領域に分割すると共に導光板を２つの導光分割領域に分割しているが、２つに限らず、３以上に分割する構成としてもよい。このとき、制御手段は、上述と同様に、画像信号の書き込み中である一の画像分割領域に対応する一の導光分割領域に設けられた光源の駆動を停止すると共に、画像信号の書き込み中でない他の複数の画像分割領域それぞれに対応する他の複数の導光分割領域それぞれに設けられた複数の光源を駆動させる。このように、分割数を増大させることにより、全画素領域への画像信号の書き込み期間に対する照明光の照射時間を長くすることができる。したがって、画像の輝度をより高めることができる。
【００３９】
また、画像分割領域を垂直走査方向に沿って配列させているが、制御手段が複数の画像分割領域それぞれに対して順次画像信号を供給する構成であれば、他の配列であってもよい。これは、導光分割領域においても同様である。
そして、導光分割領域の境界部に反射膜を設けているが、隣接する２つの導光分割領域において一方の導光分割領域中を導光する光が他方の導光分割領域に入射することを防止できれば、反射膜以外の他の遮光膜であってもよい。
さらに、電気光学パネルとして液晶パネルを用いているが、照明手段により背面から照射された照明光を透過させて画像を表示する電気光学パネルであれば、電気泳動素子を用いたパネルなど、他の電気光学パネルであってもよい。
【符号の説明】
【００４０】
１  液晶装置、２  液晶パネル、３  バックライトユニット（照明手段）、４  制御手段、１５  画像表示領域、１５Ａ，１５Ｂ  画像分割領域、２１  導光板、２１Ａ，２１Ｂ  導光分割領域、２２，２３  光源、２５  反射膜（遮光膜）、２６Ａ〜２６Ｃ，２７Ａ〜２７Ｃ  ＬＥＤ素子（発光部材）、１００  携帯電話機（電子機器）、Ｖ  垂直走査方向（一方向）
【図５】
2012169279.tif 000003
【図６】
2012169279.tif 000004
【図１】
2012169279.tif 000005
【図２】
2012169279.tif 000006
【図３】
2012169279.tif 000007
【図４】
2012169279.tif 000008